(57)【要約】 【課題】複数のヘルメット折片部を容易に展開して折ることができることにより、不使用時には、使用者がヘルメット折片部をスライド式で折って大きさを顕著に減小することができて、携帯及び保管が容易であり、使用時にはヘルメットを展開させて形成された完全なヘルメットを着用して危ない環境から使用者の頭を充分に保護することができる折畳式ヘルメットを提供すること。【解決手段】複数のヘルメット折片部が共同軸に回転可能に連結され、階段式に展開する時帽子形態に形成される折畳式ヘルメットであって、複数のヘルメット折片部は、展開が容易で、展開する時形態を安定的に保持するように、一つのヘルメット折片部の内周面とその内方に隣接したヘルメット折片部の外周面を円周方向に沿ってスライド移動可能に連結させるスライド式連結手段を含むことを特徴とする折畳式ヘルメット。【選択図】図２
2017501312.tif 000002
【特許請求の範囲】
【請求項１】
複数のヘルメット折片部（１００、２００、３００、４００）が共同軸に回転可能に連結され、階段式に展開する時帽子形態に形成される折畳式ヘルメット（１）であって、
前記複数のヘルメット折片部（１００、２００、３００、４００）は、展開が容易で、展開する時形態を安定的に保持するように、一つのヘルメット折片部（１００、２００、３００）の内周面（１１０、２１０、３１０）とその内方に隣接したヘルメット折片部（２００、３００、４００）の外周面（２２０、３２０、４２０）を円周方向に沿ってスライド移動可能に連結させるスライド式連結手段を含むことを特徴とする折畳式ヘルメット。
【請求項２】
前記スライド式連結手段は、前記一つのヘルメット折片部（１００、２００、３００）の内周面（１１０、２１０、３１０）に円周方向に形成された凹形スライド部（１１２、２１２、３１２）及び前記内方に隣接したヘルメット折片部（２００、３００、４００）の外周面（２２０、３２０、４２０）に前記凹形スライド部に嵌められるように形成された凸形スライド部（２２２、３２２、４２２）を含むことを特徴とする請求項１に記載の折畳式ヘルメット。
【請求項３】
前記複数のヘルメット折片部（１００、２００、３００、４００）の回転を限定するために、前記一つのヘルメット折片部（１００、２００、３００）は内周面（１１０、２１０、３１０）で前記凹形スライド部（１１２、２１２、３１２）の両端部の中の少なくとも一つの端部を塞ぐように形成されたストッパ部（１１４、２１４、３１４）を含むことを特徴とする請求項２に記載の折畳式ヘルメット。
【請求項４】
展開された前記複数のヘルメット折片部（１００、２００、３００、４００）の間の隙間を塞いで雨水の流入を防止するように、ヘルメット折片部が重なった部分で前記一つのヘルメット折片部（１００、２００、３００）は内周面（１１０、２１０、３１０）で子午線方向に沿って突出して形成された雨水流入防止用突出部（１１６、２１６、３１６）を備えることを特徴とする請求項１〜３の中の何れか一項に記載の折畳式ヘルメット。
【請求項５】
前記ヘルメット折片部（１００、２００、３００、４００）が重なった部分で前記雨水流入防止用突出部（１１６、２１６、３１６）が嵌められるように、前記内方に隣接したヘルメット折片部（２００、３００、４００）は外周面（２２０、３２０、４２０）で子午線方向に沿って溝状に形成された雨水流入防止用溝部（２２６、３２６、４２６）を備えることを特徴とする請求項４に記載の折畳式ヘルメット。
【請求項６】
展開された前記複数のヘルメット折片部（１００、２００、３００、４００）が互いに密着されて、前記雨水流入防止用突出部（１１６、２１６、３１６）と前記雨水流入防止用溝部（２２６、３２６、４２６）が堅固に結合されるように、前記複数のヘルメット折片部（１００、２００、３００、４００）を共同軸に締付式で連結するように提供される連結用締付手段（５００）を含むことを特徴とする請求項５に記載の折畳式ヘルメット。
【請求項７】
展開された前記複数のヘルメット折片部（１００、２００、３００、４００）が帽子形態を保持するように、一番目のヘルメット折片部（１００）と最後のヘルメット折片部（４００）が重なった部分で、前記一番目のヘルメット折片部は内周面（１１０）で突出して形成された第１係止部（１１８）を備え、前記最後のヘルメット折片部は外周面（４２０）で前記第１係止部に係止されるように突出して形成された第２係止部（４２８）を備えることを特徴とする請求項１に記載の折畳式ヘルメット。
【請求項８】
展開された前記複数のヘルメット折片部（１００、２００、３００、４００）の内側で、前記それぞれのヘルメット折片部の内周面（１２０、２２０、３２０、４２０）及び共同軸部分にヘアバンドが着脱可能に提供されるヘアバンド着脱部（１３０、２３０、３３０、４３０、５３０）を含むことを特徴とする請求項１に記載の折畳式ヘルメット。
【発明の詳細な説明】
【技術分野】
【０００１】
本発明は折畳式ヘルメットに関するもので、より詳しくは、不使用時には折って携帯及び保管し、使用時には展開して完全なヘルメットとして用いることができる折畳式ヘルメットに関するものである。
【背景技術】
【０００２】
一般に、ヘルメットは着用者の頭を保護するためのもので、各種建設現場で用いる建設産業用、自転車、バイク、インラインなどレジャースポーツ産業用、各国の軍需及び防衛産業用、地震、災難などの領域の災難産業用などで頭を保護するために幅広く用いられている。
【０００３】
図１に示すように、従来技術によるヘルメット２は金属材やプラスチック材質で形成されて、その大きさと重さの過重により携帯が不便で、使用者がヘルメットを携帯しない場合が多かった。
【０００４】
このように、使用者がヘルメットを携帯しないことにより使用者がヘルメットを着用しない状態で作業をすることになり、そこで、作業現場などで使用者の頭を充分保護することができなくて、大型の人事事故が発生するという問題点があった。
【０００５】
そこで、従来技術では携帯を容易にするのために、空気注入などによる携帯性を増大したヘルメットなどが開発されたが、工事現場などのように複雑な環境では鋭い物体によって空気が抜ける場合、作業者の頭部を保護することができなくなり、製作費用などが増加するという問題点があった。
【発明の概要】
【発明が解決しようとする課題】
【０００６】
本発明は上記のような問題点を解消するために提案されたもので、その目的は、不使用時には使用者がヘルメットを折って大きさを減小して、携帯及び保管を容易にし、使用時にはヘルメットを展開して完全なヘルメットを形成して着用することにより、危ない環境で使用者の頭を充分保護することができる折畳式ヘルメットを提供することにある。
【課題を解決するための手段】
【０００７】
上記のような目的を達するための技術的側面として、本発明は、複数のヘルメット折片部が共同軸に回転可能に連結され、階段式に展開する時帽子形態に形成される折畳式ヘルメットであって、複数のヘルメット折片部は、展開が容易で、展開時に形態を安定的に保持するように、一つのヘルメット折片部の内周面とその内方に隣接したヘルメット折片部の外周面を円周方向に沿ってスライド移動可能に連結するスライド式連結手段を含むことを特徴とする折畳式ヘルメットを提供する。
【０００８】
好ましくは、スライド式連結手段は、一つのヘルメット折片部の内周面に円周方向に形成された凹形スライド部、及び内方に隣接したヘルメット折片部の外周面に上記凹形スライド部に嵌められるように形成された凸形スライド部を含む。
【０００９】
好ましくは、複数のヘルメット折片部の回転を限定するために、一つのヘルメット折片部は内周面で凹形スライド部の両端部の中の少なくとも一つの端部を塞ぐように形成されたストッパ部を含む。
【００１０】
より好ましくは、展開された複数のヘルメット折片部の間の隙間を塞いで雨水の流入を防止するように、ヘルメット折片部が重なった部分で一つのヘルメット折片部は内周面で子午線方向に沿って突出して形成された雨水流入防止用突出部を備える。
【００１１】
より好ましくは、ヘルメット折片部が重なった部分で雨水流入防止用突出部が嵌められるように、内方に隣接したヘルメット折片部は外周面で子午線方向に沿って溝状に形成された雨水流入防止用溝部を備える。
【００１２】
より好ましくは、展開された複数のヘルメット折片部が互いに密着されて雨水流入防止用突出部と雨水流入防止用溝部が堅固に結合されるように、複数のヘルメット折片部を共同軸に締付式で連結するように提供される連結用締付手段を含む。
【００１３】
より好ましくは、展開された複数のヘルメット折片部が帽子形態を保持するように、一番目のヘルメット折片部と最後のヘルメット折片部が重なった部分で、一番目のヘルメット折片部は内周面で突出して形成された第１係止部を備え、最後のヘルメット折片部は外周面で第１係止部に係止されるように突出して形成された第２係止部を備える。
【００１４】
より好ましくは、展開された複数のヘルメット折片部の内側で、それぞれのヘルメット折片部の内周面及び共同軸の部分にヘアバンドが着脱可能に提供されるヘアバンド着脱部を含む。
【発明の効果】
【００１５】
このような本発明による折畳式ヘルメットによれば、複数のヘルメット折片部を容易に展開して折ることができることにより、不使用時には使用者がヘルメット折片部をスライド式に折って大きさを顕著に減小することができて、携帯及び保管が容易であり、使用時にはヘルメットを展開して形成された完全なヘルメットを着用して、危ない環境で使用者の頭を充分に保護することができるという効果を奏する。
【図面の簡単な説明】
【００１６】
【図１】図１は、従来技術によるヘルメットを示す斜視図である。
【図２】図２は、本発明による折畳式ヘルメットの展開状態を示す斜視図である。
【図３ａ】図３ａは、本発明の実施例による発条によって取っ手収納が容易な台車の下部斜視図である。
【図３ｂ】図３ｂは、本発明による折畳式ヘルメットの展開状態を示す底面図である。
【図４】図４は、本発明による折畳式ヘルメットの折り畳まれた状態を示す斜視図である。
【図５ａ】図５ａは、本発明による折畳式ヘルメットの第１ヘルメット折片部を示す側面図である。
【図５ｂ】図５ｂは、本発明による折畳式ヘルメットの第１ヘルメット折片部を示す後面図である。
【図６ａ】図６ａは、本発明による折畳式ヘルメットの第２ヘルメット折片部を示す平面図である。
【図６ｂ】図６ｂは、本発明による折畳式ヘルメットの第２ヘルメット折片部を示す正面図である。
【図６ｃ】図６ｃは、本発明による折畳式ヘルメットの第２ヘルメット折片部を示す後面図である。
【図７ａ】図７ａは、本発明による折畳式ヘルメットの第３ヘルメット折片部を示す正面図である。
【図７ｂ】図７ｂは、本発明による折畳式ヘルメットの第３ヘルメット折片部を示す後面図である。
【図８ａ】図８ａは、本発明による折畳式ヘルメットの第４ヘルメット折片部を示す平面図である。
【図８ｂ】図８ｂは、本発明による折畳式ヘルメットの第４ヘルメット折片部を示す正面図である。
【図８ｃ】図８ｃは、本発明による折畳式ヘルメットの第４ヘルメット折片部を示す後面図である。
【発明を実施するための形態】
【００１７】
以下、添付された図面を参照して本発明による折畳式ヘルメットを詳細に説明する。
【００１８】
図２、３ａ及び３ｂは本発明による折畳式ヘルメット１の展開状態を示し、図４は本発明による折畳式ヘルメットの折り畳まれた状態を示す。そして、図５〜８は本発明による折畳式ヘルメットを構成する第１ヘルメット折片部１００、第２ヘルメット折片部２００、第３ヘルメット折片部３００及び第４ヘルメット折片部４００をそれぞれ示す。
【００１９】
本発明による折畳式ヘルメット１は共同軸に回転可能に連結され、階段式に展開する時帽子形態に形成される複数のヘルメット折片部１００、２００、３００、４００を含んで構成されることができる。
【００２０】
まず、折畳式ヘルメット１は略半球状で、ヘルメット折片部１００、２００、３００、４００は半球の天井から子午線方向に沿って赤道線まで連結された線によって区画される部分と大体類似する形態を有する。
【００２１】
即ち、ヘルメット折片部１００、２００、３００、４００は上から見た時、分円形態で、子午線方向による断面は弧形の曲線形態である。本発明では、図示したように、４つのヘルメット折片部１００、２００、３００、４００で構成されて、それぞれ半球の４分の１に対応する形態を有する。
【００２２】
しかし、このようなヘルメット折片部の個数や相対的な大きさは図示された形態に制限されるのではない。即ち、必要によって図示したのと違うように形成されることができることは勿論である。例えば、自転車及びバイクの運転手のためのスポーツヘルメットの場合には、半球を半分に分けた形態を有する２つのヘルメット折片部で構成されることができる。このように、本発明はヘルメット折片部の多様な変形を含む。
【００２３】
そして、このようなヘルメット折片部１００、２００、３００、４００は折り畳む時積層される構造になるように半球の中心に近いヘルメット折片部であればあるほど小さい半径を有する。また、このようなヘルメット折片部１００、２００、３００、４００は半球の天井を通り過ぎる共同軸に回転可能に、例えばヒンジ式またはボルト式で互いに連結されることができる。
【００２４】
この時、それぞれのヘルメット折片部１００、２００、３００、４００は軽量でありながら、高剛性素材である強化プラスチックや金属材で形成されることが好ましい。また、それぞれのヘルメット折片部の内周面１１０、２１０、３１０、４１０と外周面１２０、２２０、３２０、４２０の中の少なくとも一つには特殊材質のフィルム（図示しない）が追加的に付着されることができる。例えば、軍需防衛用ヘルメットの場合には弾から頭をより保護するためにそれぞれのヘルメット折片部の外周面に防弾素材のフィルムが付着されることができる。
【００２５】
具体的に、本発明による折畳式ヘルメット１は、不使用時には、図４に示したように折り畳まれた状態にある。詳しくは、図２に示したような展開された状態から第４ヘルメット折片部４００ 、第３ヘルメット折片部３００及び第２ヘルメット折片部２００をそれぞれ第３ヘルメット折片部 ３００、第２ヘルメット折片部２００及び第１ヘルメット折片部１００の直下に位置するように共同軸を中心に回転させて折り畳まれた状態になる。この時、ヘルメット折片部は外側から内側に第１ヘルメット折片部１００、第２ヘルメット折片部２００、第３ヘルメット折片部３００及び第４ヘルメット折片部４００が積層される構造になる。
【００２６】
一方、本発明による折畳式ヘルメット１は、使用時には、図２に示したように展開状態にある。詳しくは、図４に示したような折り畳まれた状態から第４ヘルメット折片部４００ 、第３ヘルメット折片部３００及び第２ヘルメット折片部２００をそれぞれ第３ヘルメット折片部 ３００、第２ヘルメット折片部２００及び第１ヘルメット折片部１００から脱するように共同軸を中心に回転させて展開された状態になる。この時、ヘルメット折片部は第１ヘルメット折片部１００、第２ヘルメット折片部２００、第３ヘルメット折片部３００及び第４ヘルメット折片部４００が階段式に展開されて完全な形態のヘルメットを形成する。
【００２７】
この時、本発明による折畳式ヘルメット１で、図３ａに示したのを基準として反時計方向がヘルメット折片部１００、２００、３００、４００の展開方向を示し、これと反対に時計方向が折り畳まれた方向を示す。
【００２８】
このように、本発明による折畳式ヘルメット１は、使用時にはヘルメット折片部１００、２００、３００、４００が展開されて完全な形態のヘルメットを形成して、作業現場などで使用者の安全を確保することができ、不使用時にはヘルメット折片部を折ってヘルメットの大きさを半球からその４分の１に減少させることによって、大きさが一般のヘルメットに比べて顕著に減小して携帯しやすくて保管も容易になる。
【００２９】
そして、本発明による折畳式ヘルメット１で、複数のヘルメット折片部は一つのヘルメット折片部１００、２００、３００の内周面１１０、２１０、３１０とその内方に隣接したヘルメット折片部２００、３００、４００の外周面２２０、３２０、４２０を円周方向に沿ってスライド移動可能に連結させるスライド式連結手段を含むことができる。
【００３０】
この時、一つのヘルメット折片部１００、２００、３００とその内方に隣接したヘルメット折片部２００、３００、４００は互いに隣接した関係のヘルメット折片部対を意味し、一つのヘルメット折片部はその内方に隣接したヘルメット折片部に対して相対的に外側に位置される。
【００３１】
詳しくは、スライド式連結手段によって第１ヘルメット折片部１００の内周面１１０と第２ヘルメット折片部２００の外周面２２０、第２ヘルメット折片部の内周面２１０と第３ヘルメット折片部３００の外周面３２０、及び第３ヘルメット折片部の内周面３１０と第４ヘルメット折片部４００の外周面４２０がスライド移動可能に連結される。
【００３２】
これによって、複数のヘルメット折片部１００、２００、３００、４００は展開が容易であり、展開する時、形態を安定的に保持することができる。また、外部からの衝撃がヘルメット１から使用者の頭に直接伝達されないで、スライド式連結手段を通じて伝達されることにより衝撃が緩和される效果も奏することができる。
【００３３】
具体的に、スライド式連結手段は凹形スライド部１１２、２１２、３１２及び凸形スライド部２２２、３２２、４２２を含むことができる。
【００３４】
このような凹形スライド部１１２、２１２、３１２は一つのヘルメット折片部１００、２００、３００の内周面１１０、２１０、３１０に円周方向に形成され、凸形スライド部２２２、３２２、４２２は内方に隣接したヘルメット折片部２００、３００、４００の外周面２２０、３２０、４２０に凹形スライド部に嵌められるように形成される。
【００３５】
本発明の場合、図示したように、第１ヘルメット折片部１００の内周面１１０、第２ヘルメット折片部２００の内周面２１０及び第３ヘルメット折片部３００の内周面３１０の下部に円周方向に沿ってレール形態の凹形スライド部１１２、２１２、３１２が形成されることができる。詳細には、レール形態の凹形スライド部１１２、２１２、３１２はその長さ方向に対する横断面で「⊥」字状または「├」字状の溝が形成されるように構成される。
【００３６】
そして、第２ヘルメット折片部２００の外周面２２０、第３ヘルメット折片部３００の外周面３２０及び第４ヘルメット折片部４００の外周面４２０の下部にボルトまたはボタン形態の凸形スライド部２２２、３２２、４２２が形成されることができる。詳しくは、ボルトまたはボタン形態の凸形スライド部２２２、３２２、４２２はスライド変位を考慮して、外周面２２０、３２０、４２０で展開される回転方向に対する後行端部近くに配置される。そして、凸形スライド部２２２、３２２、４２２は頭と頭を外周面に連結させる連結部で構成される。この時、頭が凹形スライド部１１２、２１２、３１２の「⊥」字状または「⊥」字状の形態の溝で「─」または「｜」に嵌められるように配置される。
【００３７】
このように、ボルトまたはボタン形態の凸形スライド部２２２、３２２、４２２がレール形態の凹形スライド部１１２、２１２、３１２に嵌められてレールに沿ってスライド移動されることにより、一つのヘルメット折片部１００、２００、３００に対するその内方に隣接したヘルメット折片部２００、３００、４００の展開及び折り畳みが安定的に行われる。
【００３８】
一方、図示しなかったが、このような凹形スライド部と凸形スライド部は位置を変えて形成されることもできる。そして、凸形スライド部は図示したボルトまたはボタン形態に限定されるのではなく、例えば凹形スライド部に嵌められることができるレール形態も可能である。
【００３９】
好ましくは、複数のヘルメット折片部１００、２００、３００の回転を限定するために、一つのヘルメット折片部１００、２００、３００は内周面１１０、２１０、３１０で凹形スライド部１１２、２１２、３１２の両端部の中の少なくとも一つの端部を塞ぐように形成されたストッパ部１１４、２１４、３１４を含むことができる。
【００４０】
具体的に、図面を参照すれば、それぞれの第１ヘルメット折片部１００、第２ヘルメット折片部２００及び第３ヘルメット折片部３００は内周面１１０、２１０、３１０で凹形スライド部１１２、２１２、３１２の両端部を塞ぐように突出して形成されたストッパ部１１４、１１４`、２１４、３１４を備えることができる。
【００４１】
それにより、相対的に内側に位置した第２ヘルメット折片部２００、第３ヘルメット折片部３００及び第４ヘルメット折片部４００がこれにそれぞれ相対的に外側に位置した第１ヘルメット折片部１００、第２ヘルメット折片部２００及び第３ヘルメット折片部３００の内側で回転される時に、内側のヘルメット折片部が外側ヘルメット折片部のストッパ部１１４、１１４`、２１４、３１４によって塞がれて外側のヘルメット折片部を脱しなくなる。
【００４２】
より好ましくは、第１ヘルメット折片部１００のストッパ部１１４、１１４`の中で展開方向に対する後行端部部分に形成されたストッパ部１１４`は第２ヘルメット折片部２００、第３ヘルメット折片部３００及び第４ヘルメット折片部４００の全部の回転を限定するようにこのような３つのヘルメット折片部の厚さを合わせた値以上の高さを有することができる。
【００４３】
複数のヘルメット折片部２００、３００、４００は一方向に回転して展開されてこそ完全なヘルメット１を形成することができ、反対方向に回転して展開する時には完全なヘルメットを形成することができないが、上述した第１ヘルメット折片部１００のストッパ部１１４`が複数のヘルメット折片部の反対方向への回転を遮断して一方向のみの回転展開を誘導することができる。
【００４４】
追加的に、複数のヘルメット折片部１００、２００、３００、４００の組み立て及び解体が可能になるように、凹形スライド部１１２、２１２、３１２に凸形スライド部２２２、３２２、４２２を結合して分離するための開口部１１５、２１５、３１５が形成されることができる。
【００４５】
詳しくは、図示したように、凹形スライド部１１２、２１２、３１２は展開方向に対する後行端部部分で凸形スライド部２２２、３２２、４２２の頭が挿入されることができるように少なくとも頭より大きく形成された開口部１１５、２１５、３１５を備えることができる。
【００４６】
次に、相対的に外側に位置した一つのヘルメット折片部１００、２００、３００はヘルメット折片部が重なった部分での内周面で子午線方向に沿って突出して形成された雨水流入防止用突出部１１６、２１６、３１６を備えることができる。
【００４７】
ヘルメット折片部１００、２００、３００、４００が展開されて完全な形態のヘルメット１を形成した場合にも、構造上ヘルメット折片部の間には隙間が生ずるしかなくて、雨の中で着用する時雨水が中に入ることができる。
【００４８】
そこで、本発明では雨水流入防止用突出部１１６、２１６、３１６を備えることにより展開された複数のヘルメット折片部１００、２００、３００、４００の間の隙間を塞いで雨水の流入を防止した。
【００４９】
具体的に、図示したように、第１ヘルメット折片部１００、第２ヘルメット折片部２００及び第３ヘルメット折片部３００は内周面１１０、２１０、３１０の中のヘルメット折片部の展開方向への先行端部部分で子午線方向または縦方向に沿って長く突出して形成されることができる。この時、端部部分は端部と端部に近い部分を含む概念で、全体において同じ意味で用いられる。
【００５０】
それにより、第２ヘルメット折片部２００、第３ヘルメット折片部３００及び第４ヘルメット折片部４００がそれぞれの第１ヘルメット折片部１００、第２ヘルメット折片部２００及び第３ヘルメット折片部３００に対して展開される時に、第１ヘルメット折片部、第２ヘルメット折片部及び第３ヘルメット折片部のそれぞれの雨水流入防止用突出部１１６、２１６、３１６が第２ヘルメッ折片部の外周面２２０、第３ヘルメッ折片部の外周面３２０及び第４ヘルメッ折片部の外周面４２０と密着されることにより、ヘルメット折片部の間の隙間を相当部分無くすことができる。
【００５１】
そして、上述したように、ヘルメット折片部１００、２００、３００、４００は半球中心に近いヘルメット折片部であるほど小さい半径を有するので、ヘルメット折片部が展開された状態で第１ヘルメット折片部１００と第４ヘルメット折片部４００との間に間隔が形成される。
【００５２】
従って、このような間隔を無くすために、第１ヘルメット折片部１００は第４ヘルメット折片部４００と重なる部分から内側に延長して形成された部分を追加的に有することができる。
【００５３】
詳しくは、図示したように、第１ヘルメット折片部１００は展開方向に対する後行端部部分全体で子午線方向に沿って突出して形成された延長部１１７を有することができる。
【００５４】
一方、このように延長形成された延長部１１７は上述した第１ヘルメット折片部１００のストッパ部１１４`と同じ部分で形成されることができる。また、延長部１１７はそれ自体が雨水流入防止用突出部になるかまたはそういう機能をする構成を含むことができる。
【００５５】
好ましくは、一つのヘルメット折片部１００、２００、３００に対して相対的に内方へ隣接して位置したヘルメット折片部２００、３００、４００はヘルメット折片部が重なった部分での外周面で子午線方向に沿って溝状に形成された雨水流入防止用溝部２２６、３２６、４２６を備えることができる。
【００５６】
この時、このような雨水流入防止用溝部２２６、３２６、４２６は雨水流入防止用突出部１１６、２１６、３１６に対応するように具体的には嵌められるように構成される。
【００５７】
具体的に、図示したように、第２ヘルメット折片部２００、第３ヘルメット折片部３００及び第４ヘルメット折片部４００は外周面２２０、３２０、４２０の中ヘルメット折片部の展開方向に対する後行端部部分で子午線方向または縦方向に沿って長く凹まれた溝状に形成されることができる。
【００５８】
それにより、第２ヘルメット折片部２００、第３ヘルメット折片部３００及び第４ヘルメット折片部４００がそれぞれ第１ヘルメット折片部１００、第２ヘルメット折片部２００及び第３ヘルメット折片部３００に対して展開される時に、第１ヘルメット折片部、第２ヘルメット折片部及び第３ヘルメット折片部のそれぞれの雨水流入防止用突出部１１６、２１６、３１６が第２ヘルメット折片部、第３ヘルメット折片部及び第４ヘルメッ折片部のそれぞれの雨水流入防止用溝部２２６、３２６、４２６に結合されることににより、ヘルメット折片部の間に水が入ることを確実に遮断することができる。
【００５９】
同時に、このように雨水流入防止用突出部１１６、２１６、３１６と雨水流入防止用溝部２２６、３２６、４２６の結合により、隣接したヘルメット折片部が過度に回転されて互いに分離されることを防止することもできる。即ち締結役割をして展開されたヘルメット折片部１００、２００、３００、４００が完全なヘルメット形態を堅固に保持することができる。
【００６０】
一方、具体的に図示しなかったが、第１ヘルメット折片部１００の延長部１１７またはこれに形成された雨水流入防止用突出部が結合される雨水流入防止用溝部が第４折片部４００の外周面４２０に追加的に形成されることができる。
【００６１】
一方、図示しなかったが、雨水流入防止用溝部なしに雨水流入防止用突出部が単独に使われる場合には、雨水流入防止用突出部は雨水流入防止用溝部位置に位置されることができる。同じく、雨水流入防止用突出部と溝部が一緒に使われる場合にも互いに位置を変えて形成されることができる。即ち、このような単純な変形は本発明の範囲に含まれると認識される。
【００６２】
より好ましくは、本発明による折畳式ヘルメット１は複数のヘルメット折片部１００、２００、３００、４００を共同軸に締付式で連結するように提供される連結用締付手段５００を含むことができる。例えば、連結用締付手段は、具体的に図示しなかったがボルト式で構成されることができる。
【００６３】
ヘルメット折片部１００、２００、３００、４００を展開して完全なヘルメット１を作った後、連結用締付手段５００を締めることにより、展開された複数のヘルメット折片部が互いに密着されて、雨水流入防止用突出部１１６、２１６、３１６と雨水流入防止用溝部２２６、３２６、４２６がより堅固に結合するようになる。
【００６４】
それにより、ヘルメット折片部１００、２００、３００、４００の間への雨水流入防止效果がさらに向上され、同時にヘルメット形態の安全性及び堅固性もさらに向上されることができる。
【００６５】
このような連結用締付手段５００は雨水流入防止用突出部１１６、２１６、３１６及び溝部２２６、３２６、４２６とともに使われる場合により效果的であるが、単独で使われる場合を排除するのではないことは勿論である。このように単独で使われる場合にもある程度の效果は得られる。
【００６６】
次に、一番目のヘルメット折片部１００と最後のヘルメット折片部４００が重なった部分で、一番目のヘルメット折片部は内周面１１０で突出して形成された第１係止部１１８を備え、最後のヘルメット折片部は外周面４２０で第１係止部に係止されるように突出して形成された第２係止部４２８を備えることができる。
【００６７】
これは、複数のヘルメット折片部１００、２００、３００、４００が展開された状態で、第１係止部１１８と第２係止部４２８が噛み合って締結されることによって完全なヘルメット形態を堅固に保持することができるようにした。
【００６８】
具体的に、本発明で一番目のヘルメット折片部である第１ヘルメット折片部１００は内周面１１０の中で展開方向に対する後行端部部分で下部に子午線方向または縦方向に沿って突出して形成された第１係止部１１８を備える。
【００６９】
そして、最後のヘルメット折片部である第４ヘルメット折片部４００は外周面４２０の中で展開方向での先行端部部分から下部に子午線方向または縦方向に沿って第１係止部１１８に対応するように突出して形成された第２係止部４２８を備える。
【００７０】
この時、上述したように、第１ヘルメット折片部１００で第４ヘルメット折片部４００に行くほど半径が小くなるので、ヘルメット折片部１００、２００、３００、４００が展開された時に第１ヘルメット折片部と第４ヘルメット折片部との間には間隔が形成される。
【００７１】
それ故、第１係止部１１８は第２係止部４２８と噛み合うために、第１ヘルメット折片部１００の内周面１１０の中の展開方向に対する後行端部部分が半球の内側に延長して形成された延長部１１７に形成されることが好ましい。
【００７２】
次に、本発明による折畳式ヘルメット１は展開された複数のヘルメット折片部１００、２００、３００、４００の内側でそれぞれのヘルメット折片部の内周面１１０、２１０、３１０、４１０及び共同軸部分にヘアバンドが着脱可能に提供されるヘアバンド着脱部１３０、２３０、３３０、４３０、５３０を含むことができる。
【００７３】
本発明による折畳式ヘルメッ１はヘルメットの外部を構成するもので、その内部には使用者の頭への安着のためにヘアバンドを装着しなければならない。
【００７４】
このために、それぞれのヘルメット折片部１００、２００、３００、４００の内周面１１０、２１０、３１０、４１０の下部は、具体的に凹形スライド部１１２、２１２、３１２上に一つ以上のヘアバンド着脱部１３０、２３０、３３０、４３０が備えられることができる。このようなヘアバンド着脱部１３０、２３０、３３０、４３０はボルトまたはボタン形態に形成されて、ヘアバンドがヘアバンド着脱部の頭部分に固定される。
【００７５】
詳しくは、図示したように、内側のヘルメット折片部２００、３００、４００が外側のヘルメット折片部１００、２００、３００の内側にスライド可能に、第１ヘルメット折片部のヘアバンド着脱部 １３０、第２ヘルメット折片部のヘアバンド着脱部 ２３０及び第３ヘルメット折片部のヘアバンド着脱部３３０は内周面１１０、２１０、３１０に形成されたヘアバンド着脱芙蓉溝部１３２、２３２、３３２に装着されることが好ましい。より好ましくは、第１ヘルメット折片部１００、第２ヘルメット折片部２００及び第３ヘルメット折片部３００のヘアバンド着脱部１３０、２３０、３３０は内周面１１０、２１０、３１０から突出されないように構成する。
【００７６】
一方、第４ヘルメット折片部４００のヘアバンド着脱部４３０は複数のヘルメット折片部１００、２００、３００、４００のスライド式折り畳みを邪魔しないので、突出されるように形成されても構わない。
【００７７】
そして、ヘアバンドの上部を着脱可能に固定するように共同軸部分にヘアバンド着脱部５３０がさらに備えられることができる。このようなヘアバンド着脱部５３０は、図示したように、一側が開放された「匚」字状に形成されることができる。それにより、開放された部分を通じてヘアバンドを装着して分離することができる。
【００７８】
次に、本発明による折畳式ヘルメット１は容易に携帯するように、一番目のヘルメット折片部１００の共同軸部分に形成された携帯用リング部１４０を含むことができる。図示したように、第１ヘルメット折片部１００は共同軸部分にリング状に形成された携帯用リング部１４０を備えることができる。
【００７９】
以上、本発明は特定の実施例について図示して説明したが、特許請求範囲によって記載された本発明の精神や分野を逸脱しない範囲内で本発明が多様に改造及び変化されることができるということを本発明が属する技術分野において通常の知識を有する者にとって自明であることを明らかにしておく。
【図１】
2017501312.tif 000003
【図２】
2017501312.tif 000004
【図３ａ】
2017501312.tif 000005
【図３ｂ】
2017501312.tif 000006
【図４】
2017501312.tif 000007
【図５ａ】
2017501312.tif 000008
【図５ｂ】
2017501312.tif 000009
【図６ａ】
2017501312.tif 000010
【図６ｂ】
2017501312.tif 000011
【図６ｃ】
2017501312.tif 000012
【図７ａ】
2017501312.tif 000013
【図７ｂ】
2017501312.tif 000014
【図８ａ】
2017501312.tif 000015
【図８ｂ】
2017501312.tif 000016
【図８ｃ】
2017501312.tif 000017
【国際調査報告】
2017501312.tif 000018
2017501312.tif 000019
2017501312.tif 000020
2017501312.tif 000021